(57)【特許請求の範囲】
【請求項１】
少なくとも１つの第１のデジタルオーディオ信号および少なくとも１つの第２のデジタルオーディオ信号が入力される複数の入力端子と、少なくとも１つの第３のデジタルオーディオ信号および少なくとも１つの第４のデジタルオーディオ信号が出力される複数の出力端子とを有するとともに前記複数の入力端子と前記複数の出力端子との間を任意に切替え接続する信号切替手段と、
前記第４のデジタルオーディオ信号が入力され該第４のデジタルオーディオ信号のデジタル信号処理を行い出力信号を前記第２のデジタルオーディオ信号として出力する複数のデジタル信号処理手段とを備えた信号処理系統設定装置であって、
少なくとも前記第１および第２のデジタルオーディオ信号のいずれかを前記信号切替手段により切替え任意のデジタル信号処理手段に接続して信号処理系統を構成するようにしたことを特徴とする信号処理系統設定装置。
【請求項２】
前記第３のデジタルオーディオ信号が出力される出力端子側において、前記信号処理系統ごとの遅延時間を算出する遅延時間算出手段と、出力する第３のデジタルオーディオ信号を前記算出した遅延時間だけそれぞれ遅延させる前記信号処理系統に対応する数の遅延処理手段とを備え、前記出力する第３のデジタルオーディオ信号に対し信号処理系統ごとに遅延時間を付加して、全信号処理系統の出力信号を同位相に調整することを特徴とする請求項１記載の信号処理系統設定装置。
【請求項３】
少なくとも１つの第１のデジタルオーディオ信号および少なくとも１つの第２のデジタルオーディオ信号が入力される複数の入力端子と、少なくとも１つの第３のデジタルオーディオ信号および少なくとも１つの第４のデジタルオーディオ信号が出力される複数の出力端子とを有し、前記複数の入力端子と前記複数の出力端子との間を任意に切替え接続する信号切替手段と、
前記第４のデジタルオーディオ信号が入力され該第４のデジタルオーディオ信号のデジタル信号処理を行い出力信号を前記第２のデジタルオーディオ信号として出力する複数のデジタル信号処理手段とを備えた信号処理系統設定装置であって、
前記デジタル信号処理手段内部の信号処理部が任意の数に分割され、少なくとも前記第１および第２のデジタルオーディオ信号のいずれかを前記信号切替手段によって切替え、分割された前記信号処理部に接続して信号処理系統を構成するようにしたことを特徴とする信号処理系統設定装置。
【請求項４】
前記第３のデジタルオーディオ信号が出力される出力端子側において、前記信号処理系統ごとの遅延時間を算出する遅延時間算出手段と、出力する前記第３のデジタルオーディオ信号を前記算出した遅延時間だけそれぞれ遅延させる前記信号処理系統に対応する数の遅延処理手段とを備え、前記第３のデジタルオーディオ信号に対し信号処理系統ごとに遅延時間を付加して、全信号処理系統の出力信号を同位相に調整することを特徴とする請求項３記載の信号処理系統設定装置。
【請求項５】
前記信号切替手段に設定された経路を通して複数の前記第４のデジタルオーディオ信号をミキシングし、ミキシングして得られたミキシング信号を前記信号切替手段の入力端子に接続するミキシング手段を備えることを特徴とする請求項１記載の信号処理系統設定装置。
【請求項６】
前記ミキシング手段に入力する信号処理系統ごとのデジタルオーディオ信号の遅延時間を算出する遅延時間算出手段と、前記ミキシング手段に入力する各デジタルオーディオ信号を前記算出した遅延時間だけそれぞれ遅延させる遅延処理手段とを備え、前記ミキシング手段に入力する各デジタルオーディオ信号に対し信号処理系統ごとに遅延時間を付加し同位相に調整してミキシングすることを特徴とする請求項５記載の信号処理系統設定装置。
【請求項７】
前記信号切替手段に設定された経路を通して複数の分割された信号処理系統のデジタルオーディオ信号をミキシングし、ミキシングして得られたミキシング信号を前記信号切替手段の入力端子に接続するミキシング手段を備えることを特徴とする請求項３記載の信号処理系統設定装置。
【請求項８】
前記第３のデジタルオーディオ信号が出力される出力端子側における前記信号処理系統ごと及び前記ミキシング手段に入力する信号処理系統ごとの遅延時間を算出する遅延時間算出手段と、出力するデジタルオーディオ信号を前記算出した遅延時間だけ遅延させる第１の遅延処理手段と、前記ミキシング手段に入力するデジタルオーディオ信号を前記算出した遅延時間だけ遅延させる第２の遅延処理手段とを備え、分割された前記信号処理系統ごとのデジタルオーディオ信号に対し遅延時間を付加して同位相に調整し、前記ミキシング手段に入力するデジタルオーディオ信号に対し信号処理系統ごとに遅延時間を付加して同位相に調整することを特徴とする請求項７記載の信号処理系統設定装置。
【請求項９】
外部のデジタルオーディオ信号を前記信号切替手段に入力する外部接続用入力端子手段をさらに備え、前記第３のデジタルオーディオ信号が出力される出力端子を他の信号処理系統設定装置の外部接続用入力端子手段に接続することにより任意個数の信号処理系統設定装置をカスケード接続するようにしたことを特徴とする請求項１記載の信号処理系統設定装置。
【請求項１０】
前記信号切替手段からの出力信号を遅延せず直接出力する外部接続用出力端子と、外部のデジタルオーディオ信号を前記信号切替手段に入力する外部接続用入力端子手段とを備え、前記外部接続用出力端子手段を他の信号処理系統設定装置の外部接続用入力端子手段に接続することにより任意個数の信号処理系統設定装置をカスケード接続するよう構成したことを特徴とする請求項２記載の信号処理系統設定装置。
【請求項１１】
外部のデジタルオーディオ信号を前記信号切替手段に入力する外部接続用入力端子を備え、前記出力端子を他の信号処理系統設定装置の外部接続用入力端子に接続することにより任意個数の信号処理系統設定装置をカスケード接続するようにしたことを特徴とする請求項３記載の信号処理系統設定装置。
【請求項１２】
前記信号切替手段からの出力信号を遅延せず直接出力する外部接続用出力端子と、外部のデジタルオーディオ信号を前記信号切替手段に入力する外部接続用入力端子とを備え、前記外部接続用出力端子を他の信号処理系統設定装置の外部接続用入力端子に接続することにより任意個数の信号処理系統設定装置をカスケード接続し、前記カスケード接続した任意の信号処理系統設定装置の出力端子から出力するデジタルオーディオ信号を遅延して同位相で出力するよう調整するよう構成したことを特徴とする請求項４記載の信号処理系統設定装置。
【請求項１３】
外部のデジタルオーディオ信号を前記信号切替手段に入力する外部接続用入力端子を備え、前記出力端子を他の信号処理系統設定装置の外部接続用入力端子に接続することにより任意個数の信号処理系統設定装置をカスケード接続するようにしたことを特徴とする請求項５記載の信号処理系統設定装置。
【請求項１４】
前記信号切替手段からの出力信号を遅延せず直接出力する外部接続用出力端子と、外部のデジタルオーディオ信号を前記信号切替手段に入力する外部接続用入力端子とを備え、前記外部接続用出力端子を他の信号処理系統設定装置の外部接続用入力端子に接続することにより任意個数の信号処理系統設定装置をカスケード接続し、前記ミキシング手段に入力する各デジタルオーディオ信号に対し信号処理系統ごとに遅延時間を付加し同位相に調整してミキシングし、前記カスケード接続した任意の信号処理系統設定装置の出力端子から出力するデジタルオーディオ信号を遅延して同位相で出力するよう構成したことを特徴とする請求項６記載の信号処理系統設定装置。
【請求項１５】
外部のデジタルオーディオ信号を前記信号切替手段に入力する外部接続用入力端子を備え、前記出力端子を他の信号処理系統設定装置の外部接続用入力端子に接続することにより任意個数の信号処理系統設定装置をカスケード接続するようにしたことを特徴とする請求項７記載の信号処理系統設定装置。
【請求項１６】
前記信号切替手段からの出力信号を遅延せず直接出力する外部接続用出力端子と、外部のデジタルオーディオ信号を前記信号切替手段に入力する外部接続用入力端子とを備え、前記外部接続用出力端子を他の信号処理系統設定装置の外部接続用入力端子に接続することにより任意個数の信号処理系統設定装置をカスケード接続し、前記ミキシング手段に入力する各デジタルオーディオ信号に対し信号処理系統ごとに遅延時間を付加し同位相に調整してミキシングし、前記カスケード接続した任意の信号処理系統設定装置の出力端子から出力するデジタルオーディオ信号を遅延して同位相で出力するよう構成したことを特徴とする請求項８記載の信号処理系統設定装置。
【請求項１７】
複数の入力端子より少なくとも１つの第１のデジタルオーディオ信号および少なくとも１つの第２のデジタルオーディオ信号が入力され、複数の出力端子より少なくとも１つの第３のデジタルオーディオ信号および少なくとも１つの第４のデジタルオーディオ信号が出力され、前記複数の入力端子と前記複数の出力端子との間が任意に切替え接続され、
前記第４のデジタルオーディオ信号が入力され該第４のデジタルオーディオ信号のデジタル信号処理を行い出力信号を前記第２のデジタルオーディオ信号として出力する信号処理系統設定方法であって、
少なくとも前記第１および第２のデジタルオーディオ信号のいずれかを切替え任意のデジタル信号処理を行うことを特徴とする信号処理系統設定方法。
【請求項１８】
複数の入力端子より少なくとも１つの第１のデジタルオーディオ信号および少なくとも１つの第２のデジタルオーディオ信号が入力され、複数の出力端子より少なくとも１つの第３のデジタルオーディオ信号および少なくとも１つの第４のデジタルオーディオ信号が出力され、前記複数の入力端子と前記複数の出力端子との間が任意に切替え接続され、
前記第４のデジタルオーディオ信号が入力され該第４のデジタルオーディオ信号のデジタル信号処理を行い出力信号を前記第２のデジタルオーディオ信号として出力する信号処理系統設定方法であって、
前記デジタル信号処理内部の信号処理が任意の数に分割され、少なくとも前記第１および第２のデジタルオーディオ信号のいずれかを切替え、分割された前記信号処理により信号処理系統を構成するようにしたことを特徴とする信号処理系統設定方法。
【発明の詳細な説明】
【０００１】
【発明の属する技術分野】
本発明は、例えばデジタルオーディオ信号の処理系統を設定する信号処理系統設定装置に関し、特にデジタルオーディオ信号を処理する複数の信号処理手段を通る経路を任意に切替え設定する信号処理系統設定装置に関するものである。
【０００２】
【従来の技術】
従来、このような信号処理系統設定装置としては、図２４に示すようなものがあった。図２４は、従来の代表的なデジタルオーディオ信号処理系統を設定する装置あるいは方法を示すブロック図である。図２４は、デジタルオーディオ信号を入力する入力端子２１と、デジタル信号の処理を行うデジタル信号処理装置（以下、ＤＳＰという）２２と、デジタルオーディオ信号を出力する出力端子２３と、ＲＯＭなどのメモリ２４とからなり、信号処理系統の設定を変更する場合は、各ＤＳＰ２２に対して各信号処理系統ごとのデータをダウンロードまたはアップロードするなど、信号処理系統が変わるたびにＤＳＰ２２の内部メモリを設定し、ＤＳＰ２２による信号処理系統を変更し設定するようにしていた。
【０００３】
【発明が解決しようとする課題】
しかしながら、上記のように、図２４に示すような従来例では、信号処理系統の設定を変更するごとに該当するＤＳＰインストラクションをＲＯＭなどのメモリから読み出し、ＤＳＰに対してダウンロードまたはアップロードしていた。これにより、必要なメモリを読み出し、該当するＤＳＰへ書き込む処理などのソフトウエア上の制御が複雑化するという問題があった。また、ＤＳＰ１個あたりの処理能力には限界があるため、ＤＳＰ１個あたりの処理能力に応じて選択できる信号処理系統が制限されるという問題があった。
【０００４】
本発明は、上記従来の問題を解決するためになされたもので、信号処理系統を変更するごとに発生するＤＳＰへの複雑なダウンロード処理やアップロード処理を少なくし、かつ、ＤＳＰ１個あたりの処理能力に依存しない信号処理系統を設定しうる信号処理系統設定装置及び方法を提供するものである。
【０００５】
【課題を解決するための手段】
本発明は、上記の課題を解決するため、以下に示す解決手段を提供する。
本発明における信号処理系統設定装置は、デジタルオーディオ信号を入力する入力端子手段と、複数の入力端子と複数の出力端子とを有し前記入力端子と出力端子間を任意に切替え接続する信号切換手段と、入力したデジタルオーディオ信号を処理する任意の数のデジタル信号処理手段と、前記デジタル信号処理手段の出力端子を前記信号切換手段の入力端子に接続するフィードバック手段と、デジタルオーディオ信号を外部に出力する出力端子手段とを備え、入力したデジタルオーディオ信号を信号切換手段により切替え任意のデジタル信号処理手段に接続して信号処理系統を構成するという構成を有している。この構成により、信号切換手段を用いてデジタル信号処理手段の入出力接続を任意に設定することにより、複雑なデジタル信号処理手段の内部メモリの書き変えを行うことなく、信号処理能力の異なる信号処理系統を設定できることとなる。
【０００６】
本発明における信号処理系統設定装置は、前記出力端子手段側において、前記信号処理系統ごとの遅延時間を算出する遅延時間算出手段と、出力する各デジタルオーディオ信号を前記算出した遅延時間だけそれぞれ遅延させる前記信号処理系統に対応する数の遅延処理手段とを備え、前記出力するデジタルオーディオ信号に対し信号処理系統ごとに遅延時間を付加して、全信号処理系統の出力信号を同位相に調整するという構成を有している。この構成により、信号切換手段を用いて任意な複数の信号処理系統を設定した場合でも、各信号処理系統ごとに遅延時間を設定するようにしたことにより、出力端子手段からは同位相のデジタルオーディオ信号が出力されることとなる。
【０００７】
本発明における信号処理系統設定装置は、デジタルオーディオ信号を入力する入力端子手段と、複数の入力端子と複数の出力端子とを有し前記入力端子と出力端子間を任意に切替え接続する信号切換手段と、前記デジタル信号処理手段内部の信号処理部が任意の数に分割され入力したデジタルオーディオ信号を前記分割された信号処理部を通して処理するようにした任意の数のデジタル信号処理手段と、前記デジタル信号処理手段のデジタルオーディオ信号出力端子を前記信号切換手段の入力端子に接続するフィードバック手段と、デジタルオーディオ信号を出力する出力端子手段とを備え、入力したデジタルオーディオ信号を信号切換手段により切替え任意のデジタル信号処理手段の分割された信号処理部に接続して信号処理系統を構成するという構成を有している。この構成により、信号切換手段を用いてデジタル信号処理手段の分割された任意の信号処理部の入出力接続を任意に設定することにより、複雑なデジタル信号処理手段の内部メモリの書き変えを行うことなく、信号処理能力の異なる分割されたデジタル信号処理手段の信号処理系統を設定することができ、デジタル信号処理手段を細分化したことにより分割されたデジタル信号処理手段の信号処理部ごとに別の信号処理系統に使用することができることとなる。
【０００８】
本発明における信号処理系統設定装置は、前記出力端子手段において前記信号処理系統ごとの遅延時間を算出する遅延時間算出手段と、出力する各デジタルオーディオ信号を前記算出した遅延時間だけそれぞれ遅延させる前記信号処理系統に対応する数の遅延処理手段とを備え、前記出力するデジタルオーディオ信号に対し信号処理系統ごとに遅延時間を付加して、全信号処理系統の出力信号を同位相に調整するという構成を有している。この構成により、信号切換手段を用いて任意な複数の分割された信号処理系統を設定した場合でも、、各信号処理系統ごとに遅延時間を設定するようにしたことにより、出力端子手段からは同位相のデジタルオーディオ信号が出力されることとなる。
【０００９】
本発明における信号処理系統設定装置は、前記信号切換手段に設定された経路を通して入力した任意複数の信号処理系統のデジタルオーディオ信号をミキシングし、ミキシングして得られたミキシング信号を前記信号切換手段の入力端子に接続するミキシング手段を備えるという構成を有している。この構成により、信号切換手段を用いて複数の分割された信号処理系統の任意位置のデジタルオーディオ信号をミキシングできることとなる。
【００１０】
本発明における信号処理系統設定装置は、前記ミキシング手段に入力する信号処理系統ごとのデジタルオーディオ信号の遅延時間を算出する遅延時間算出手段と、前記ミキシング手段に入力する各デジタルオーディオ信号を前記算出した遅延時間だけそれぞれ遅延させる遅延処理手段とを備え、前記ミキシング手段に入力する各デジタルオーディオ信号に対し信号処理系統ごとに遅延時間を付加し同位相に調整してミキシングするという構成を有している。この構成により、各信号処理系統ごとに遅延時間を設定してデジタルオーディオ信号をミキシングするようにしたことにより、同位相のデジタルオーディオ信号をミキシングすることができ、また出力端子側において各信号処理系統ごとに遅延時間を設定するようにしたことにより、出力端子手段からは同位相のデジタルオーディオ信号が出力されることとなる。
【００１１】
本発明における信号処理系統設定装置は、前記信号切換手段に設定された経路を通して入力した任意複数の分割された信号処理系統のデジタルオーディオ信号をミキシングし、ミキシングして得られたたミキシング信号を前記信号切換手段の入力端子に接続するミキシング手段を備えるという構成を有している。この構成により、信号切換手段を用いてデジタル信号処理手段の分割された任意の信号処理部の入出力接続を任意に設定することにより、複雑なデジタル信号処理手段の内部メモリの書き変えを行うことなく、信号処理能力の異なる分割されたデジタル信号処理手段の信号処理系統を設定することができ、デジタル信号処理手段を細分化したことにより分割されたデジタル信号処理手段の信号処理部ごとに別の信号処理系統に使用することができるとともに、信号切換手段を用いて分割された各信号処理系統の任意位置のデジタルオーディオ信号をミキシングできることとなる。
【００１２】
本発明における信号処理系統設定装置は、前記出力端子手段における前記信号処理系統ごと及び前記ミキシング手段に入力する信号処理系統ごとの遅延時間を算出する遅延時間算出手段と、出力するデジタルオーディオ信号を前記算出した遅延時間だけ遅延させる第１の遅延処理手段と、前記ミキシング手段に入力するデジタルオーディオ信号を前記算出した遅延時間だけ遅延させる第２の遅延処理手段とを備え、前記出力する分割された信号処理系統ごとのデジタルオーディオ信号に対し遅延時間を付加して同位相に調整し、前記ミキシング手段に入力するデジタルオーディオ信号に対し信号処理系統ごとに遅延時間を付加して同位相に調整するという構成を有している。この構成により、信号切換手段を用いてデジタル信号処理手段の分割された任意の信号処理部の入出力接続を任意に設定することにより、複雑なデジタル信号処理手段の内部メモリの書き変えを行うことなく、信号処理能力の異なる分割されたデジタル信号処理手段の信号処理系統を設定することができ、デジタル信号処理手段を細分化したことにより分割されたデジタル信号処理手段の信号処理部ごとに別の信号処理系統に使用することができるとともに、信号切換手段を用いて分割された各信号処理系統の任意位置のデジタルオーディオ信号をミキシングできることとなり、かつ、各分割された信号処理系統ごとに遅延時間を設定してデジタルオーディオ信号をミキシングするようにしたことにより、同位相のデジタルオーディオ信号をミキシングすることができ、さらに出力端子側において信号処理系統ごとに遅延時間を設定するようにしたことにより、出力端子手段からは同位相のデジタルオーディオ信号が出力されることとなる。
【００１３】
本発明における信号処理系統設定装置は、外部のデジタルオーディオ信号を前記信号切換手段に入力する外部接続用入力端子手段を備え、前記出力端子手段を他の信号処理系統設定装置の外部接続用入力端子手段に接続することにより任意個数の信号処理系統設定装置をカスケード接続するという構成を有している。この構成により、他の信号処理系統設定装置の出力端子手段から外部接続用入力端子手段に対してデジタルオーディオ信号を入力するよう接続してカスケード接続としたことにより、各信号処理系統設定装置を通して設定された信号処理系統のデジタルオーディオ信号を各信号処理系統設定装置間で共有化できることとなる。
【００１４】
本発明における信号処理系統設定装置は、前記信号切換手段からの出力信号を遅延せず直接出力する外部接続用出力端子手段と、外部のデジタルオーディオ信号を前記信号切換手段に入力する外部接続用入力端子手段とを備え、前記外部接続用出力端子手段を他の信号処理系統設定装置の外部接続用入力端子手段に接続することにより任意個数の信号処理系統設定装置をカスケード接続するという構成を有している。この構成により、信号切換手段からのデジタルオーディオ信号を遅延せず外部接続用出力端子手段を通して直接外部に出力し、そのデジタルオーディオ信号を他の信号処理系統設定装置の外部接続用入力端子手段に入力するよう接続してカスケード接続としたことにより、各信号処理系統設定装置を通して設定された信号処理系統のデジタルオーディオ信号を各信号処理系統設定装置間で共有化することができ、かつ、出力端子側において各信号処理系統ごとに遅延時間を設定するようにしたことにより、出力端子手段からは同位相のデジタルオーディオ信号が出力されることとなる。
【００１５】
本発明における信号処理系統設定装置は、外部のデジタルオーディオ信号を前記信号切換手段に入力する外部接続用入力端子手段を備え、前記出力端子手段を他の信号処理系統設定装置の外部接続用入力端子手段に接続することにより任意個数の信号処理系統設定装置をカスケード接続するという構成を有している。この構成により、信号切換手段を用いてデジタル信号処理手段の分割された任意の信号処理部の入出力接続を任意に設定することにより、複雑なデジタル信号処理手段の内部メモリの書き変えを行うことなく、信号処理能力の異なる分割されたデジタル信号処理手段の信号処理系統を設定することができ、かつ、他の信号処理系統設定装置の出力端子手段から外部接続用入力端子手段に対しデジタルオーディオ信号を入力するよう接続してカスケード接続としたことにより、各信号処理系統設定装置を通して設定された信号処理系統のデジタルオーディオ信号を各信号処理系統設定装置間で共有化できることとなる。
【００１６】
本発明における信号処理系統設定装置は、前記信号切換手段からの出力信号を遅延せず直接出力する外部接続用出力端子手段と、外部のデジタルオーディオ信号を前記信号切換手段に入力する外部接続用入力端子手段とを備え、前記外部接続用出力端子手段を他の信号処理系統設定装置の外部接続用入力端子手段に接続することにより任意個数の信号処理系統設定装置をカスケード接続し、前記カスケード接続した任意の信号処理系統設定装置の出力端子から出力するデジタルオーディオ信号を遅延して同位相で出力するよう調整するという構成を有している。この構成により、信号切換手段を用いてデジタル信号処理手段の分割された任意の信号処理部の入出力接続を任意に設定することにより、複雑なデジタル信号処理手段の内部メモリの書き変えを行うことなく、信号処理能力の異なる分割されたデジタル信号処理手段の信号処理系統を設定することができ、かつ、信号切換手段からのデジタルオーディオ信号を遅延せず外部接続用出力端子手段を通して直接外部に出力し、そのデジタルオーディオ信号を他の信号処理系統設定装置の外部接続用入力端子手段に入力するよう接続してカスケード接続としたことにより、各信号処理系統設定装置を通して設定された信号処理系統のデジタルオーディオ信号を各信号処理系統設定装置間で共有化できるとともに、カスケード接続した任意の信号処理系統設定装置の出力端子から出力するデジタルオーディオ信号を遅延して同位相で出力することができることとなる。
【００１７】
本発明における信号処理系統設定装置は、外部のデジタルオーディオ信号を前記信号切換手段に入力する外部接続用入力端子手段を備え、前記出力端子手段を他の信号処理系統設定装置の外部接続用入力端子手段に接続することにより任意個数の信号処理系統設定装置をカスケード接続するという構成を有している。この構成により、他の信号処理系統設定装置の出力端子手段から外部接続用入力端子手段に対しデジタルオーディオ信号を入力するよう接続してカスケード接続としたことにより、各信号処理系統設定装置を通して設定された信号処理系統のデジタルオーディオ信号を各信号処理系統設定装置間で共有化することができ、かつ、信号切換手段を用いて複数の信号処理系統の任意位置のデジタルオーディオ信号をミキシングできることとなる。
【００１８】
本発明における信号処理系統設定装置は、前記信号切換手段からの出力信号を遅延せず直接出力する外部接続用出力端子手段と、外部のデジタルオーディオ信号を前記信号切換手段に入力する外部接続用入力端子手段とを備え、前記外部接続用出力端子手段を他の信号処理系統設定装置の外部接続用入力端子手段に接続することにより任意個数の信号処理系統設定装置をカスケード接続し、前記ミキシング手段に入力する各デジタルオーディオ信号に対し信号処理系統ごとに遅延時間を付加し同位相に調整してミキシングし、前記カスケード接続した任意の信号処理系統設定装置の出力端子から出力するデジタルオーディオ信号を遅延して同位相で出力するという構成を有している。この構成により、信号切換手段からのデジタルオーディオ信号を遅延せず外部接続用出力端子手段を通して直接外部に出力し、そのデジタルオーディオ信号を他の信号処理系統設定装置の外部接続用入力端子手段に入力するよう接続してカスケード接続としたことにより、各信号処理系統設定装置を通して設定された信号処理系統のデジタルオーディオ信号を各信号処理系統設定装置間で共有化することができ、かつ、各信号処理系統ごとに遅延時間を設定してデジタルオーディオ信号をミキシングするようにしたことにより、同位相のデジタルオーディオ信号をミキシングすることができ、また出力端子側において各信号処理系統ごとに遅延時間を設定するようにしたことにより、出力端子手段からは同位相のデジタルオーディオ信号が出力されることとなる。
【００１９】
本発明における信号処理系統設定装置は、外部のデジタルオーディオ信号を前記信号切換手段に入力する外部接続用入力端子手段を備え、前記出力端子手段を他の信号処理系統設定装置の外部接続用入力端子手段に接続することにより任意個数の信号処理系統設定装置をカスケード接続するという構成を有している。この構成により、他の信号処理系統設定装置の出力端子手段から外部接続用入力端子手段に対しデジタルオーディオ信号を入力するよう接続してカスケード接続としたことにより、各信号処理系統設定装置を通して設定された信号処理系統のデジタルオーディオ信号を各信号処理系統設定装置間で共有化することができ、かつ、信号切換手段を用いて分割された各信号処理系統の任意位置のデジタルオーディオ信号を集束してミキシングできることとなる。
【００２０】
本発明における信号処理系統設定装置は、前記信号切換手段からの出力信号を遅延せず直接出力する外部接続用出力端子手段と、外部のデジタルオーディオ信号を前記信号切換手段に入力する外部接続用入力端子手段とを備え、前記外部接続用出力端子手段を他の信号処理系統設定装置の外部接続用入力端子手段に接続することにより任意個数の信号処理系統設定装置をカスケード接続し、前記ミキシング手段に入力する各デジタルオーディオ信号に対し信号処理系統ごとに遅延時間を付加し同位相に調整してミキシングし、前記カスケード接続した任意の信号処理系統設定装置の出力端子から出力するデジタルオーディオ信号を遅延して同位相で出力するという構成を有している。この構成により、信号切換手段からのデジタルオーディオ信号を遅延せず外部接続用出力端子手段を通して直接外部に出力し、そのデジタルオーディオ信号を他の信号処理系統設定装置の外部接続用入力端子手段に入力するよう接続してカスケード接続としたことにより、各信号処理系統設定装置を通して設定された信号処理系統のデジタルオーディオ信号を各信号処理系統設定装置間で共有化することができ、かつ、各分割された信号処理系統ごとに遅延時間を設定してデジタルオーディオ信号をミキシングするようにしたことにより、同位相のデジタルオーディオ信号をミキシングすることができ、また出力端子側において信号処理系統ごとに遅延時間を設定するようにしたことにより、出力端子手段からは同位相のデジタルオーディオ信号が出力されることとなる。
【００２１】
本発明における信号処理系統設定方法は、デジタルオーディオ信号を入力し、入力したデジタルオーディオ信号を信号切換手段によりデジタル信号処理手段に任意に切替え接続し、前記接続したデジタルオーディオ信号を前記デジタル信号処理手段において処理し、前記処理されたデジタル信号処理手段の出力を前記信号切換手段の入力にフィードバックし、前記信号切換手段からのデジタルオーディオ信号を出力する各工程からなり、入力したデジタルオーディオ信号を信号切換手段により切替え任意のデジタル信号処理手段に接続して信号処理系統を構成するという構成を有している。この構成により、信号切換手段を用いてデジタル信号処理手段の入出力接続を任意に設定することにより、複雑なデジタル信号処理手段の内部メモリの書き変えを行うことなく、信号処理能力の異なる信号処理系統を設定できることとなる。
【００２２】
本発明における信号処理系統設定方法は、出力する前記信号処理系統ごとのデジタルオーディオ信号の遅延時間を算出し、前記出力する各デジタルオーディオ信号の遅延時間を遅延処理手段によりそれぞれ遅延させる各工程を有し、前記出力するデジタルオーディオ信号に対し信号処理系統ごとに遅延時間を付加して、全信号処理系統の出力信号を同位相に調整するという構成を有している。この構成により、信号切換手段を用いて任意な複数の信号処理系統を設定した場合でも、各信号処理系統ごとに遅延時間を設定するようにしたことにより、出力端子手段からは同位相のデジタルオーディオ信号が出力されることとなる。
【００２３】
本発明における信号処理系統設定方法は、デジタルオーディオ信号を入力し、入力したデジタルオーディオ信号を信号切換手段によりデジタル信号処理手段の任意の数に分割された信号処理部に任意に切替え接続し、前記接続したデジタルオーディオ信号を前記デジタル信号処理手段の任意の数に分割された信号処理部において処理し、前記処理されたデジタル信号処理手段の出力を前記信号切換手段の入力にフィードバックし、前記信号切換手段からのデジタルオーディオ信号を出力する各工程からなり、入力したデジタルオーディオ信号を信号切換手段により切替え任意のデジタル信号処理手段の任意の数に分割された信号処理部に接続して信号処理系統を構成するという構成を有している。この構成により、信号切換手段を用いてデジタル信号処理手段の分割された任意の信号処理部の入出力接続を任意に設定することにより、複雑なデジタル信号処理手段の内部メモリの書き変えを行うことなく、信号処理能力の異なる分割されたデジタル信号処理手段の信号処理系統を設定することができ、デジタル信号処理手段を細分化したことにより分割されたデジタル信号処理手段の信号処理部ごとに別の信号処理系統に使用することができることとなる。
【００２４】
本発明における信号処理系統設定方法は、出力する前記信号処理系統ごとのデジタルオーディオ信号の遅延時間を算出し、前記出力する各デジタルオーディオ信号の遅延時間を遅延処理手段によりそれぞれ遅延させる各工程を有し、前記出力するデジタルオーディオ信号に対し信号処理系統ごとに遅延時間を付加して、全信号処理系統の出力信号を同位相に調整するという構成を有している。この構成により、信号切換手段を用いて任意な複数の分割された信号処理系統を設定した場合でも、、各信号処理系統ごとに遅延時間を設定するようにしたことにより、出力端子手段からは同位相のデジタルオーディオ信号が出力されることとなる。
【００２５】
本発明における信号処理系統設定方法は、前記信号切換手段を通して入力した任意複数の信号処理系統のデジタルオーディオ信号をミキシングし、ミキシングして得られたミキシング信号を前記信号切換手段の入力端子に接続する各工程を備え、ミキシングするデジタルオーディオ信号を前記信号切換手段により設定するという構成を有している。この構成により、信号切換手段を用いて複数の分割された信号処理系統の任意位置のデジタルオーディオ信号をミキシングできることとなる。
【００２６】
本発明における信号処理系統設定方法は、ミキシング手段に入力する信号処理系統ごとのデジタルオーディオ信号の遅延時間を算出し、前記ミキシング手段に入力する各デジタルオーディオ信号をそれぞれ前記算出した遅延時間だけそれぞれ遅延させる各工程を有し、前記ミキシング手段に入力する各デジタルオーディオ信号に対し遅延時間を付加し同位相に調整してミキシングするという構成を有している。この構成により、各信号処理系統ごとに遅延時間を設定してデジタルオーディオ信号をミキシングするようにしたことにより、同位相のデジタルオーディオ信号をミキシングすることができ、また出力端子側において各信号処理系統ごとに遅延時間を設定するようにしたことにより、出力端子手段からは同位相のデジタルオーディオ信号が出力されることとなる。
【００２７】
本発明における信号処理系統設定方法は、前記信号切換手段を通して入力した任意複数の分割された信号処理系統のデジタルオーディオ信号をミキシングし、ミキシングして得られたミキシング信号を前記信号切換手段の入力端子に接続する各工程を備え、ミキシングするデジタルオーディオ信号を前記信号切換手段により設定するという構成を有している。この構成により、信号切換手段を用いてデジタル信号処理手段の分割された任意の信号処理部の入出力接続を任意に設定することにより、複雑なデジタル信号処理手段の内部メモリの書き変えを行うことなく、信号処理能力の異なる分割されたデジタル信号処理手段の信号処理系統を設定することができ、デジタル信号処理手段を細分化したことにより分割されたデジタル信号処理手段の信号処理部ごとに別の信号処理系統に使用することができるとともに、信号切換手段を用いて分割された各信号処理系統の任意位置のデジタルオーディオ信号をミキシングできることとなる。
【００２８】
本発明における信号処理系統設定方法は、出力する前記信号処理系統ごとのデジタルオーディオ信号及びミキシング手段に入力する信号処理系統ごとのデジタルオーディオ信号の遅延時間を算出し、前記出力する各デジタルオーディオ信号の遅延時間を遅延処理手段により遅延させ、前記ミキシング手段に入力する各デジタルオーディオ信号を前記算出した遅延時間だけ遅延させる各工程を有し、前記出力する分割された信号処理系統ごとのデジタルオーディオ信号に対し遅延時間を付加して、前記出力するデジタルオーディオ信号に対し信号処理系統ごとに遅延時間を付加して同位相に調整し、前記ミキシング手段に入力するデジタルオーディオ信号に対し信号処理系統ごとに遅延時間を付加して同位相に調整するという構成を有している。この構成により、信号切換手段を用いてデジタル信号処理手段の分割された任意の信号処理部の入出力接続を任意に設定することにより、複雑なデジタル信号処理手段の内部メモリの書き変えを行うことなく、信号処理能力の異なる分割されたデジタル信号処理手段の信号処理系統を設定することができ、デジタル信号処理手段を細分化したことにより分割されたデジタル信号処理手段の信号処理部ごとに別の信号処理系統に使用することができるとともに、信号切換手段を用いて分割された各信号処理系統の任意位置のデジタルオーディオ信号をミキシングできることとなり、かつ、各分割された信号処理系統ごとに遅延時間を設定してデジタルオーディオ信号をミキシングするようにしたことにより、同位相のデジタルオーディオ信号をミキシングすることができ、また出力端子側において信号処理系統ごとに遅延時間を設定するようにしたことにより、出力端子手段からは同位相のデジタルオーディオ信号が出力されることとなる。
【００２９】
本発明における信号処理系統設定方法は、外部接続用入力端子手段を介し他の信号処理系統設定装置の出力端子手段からのデジタルオーディオ信号を入力する工程を有し、任意個数の信号処理系統設定装置のデジタルオーディオ信号をカスケード接続するという構成を有している。この構成により、他の信号処理系統設定装置の出力端子手段から外部接続用入力端子手段に対しデジタルオーディオ信号を入力するよう接続してカスケード接続としたことにより、各信号処理系統設定装置を通して設定された信号処理系統のデジタルオーディオ信号を各信号処理系統設定装置間で共有化できることとなる。
【００３０】
本発明における信号処理系統設定方法は、出力信号を外部接続用出力端子手段から遅延せず直接出力し、他の信号処理系統設定装置の外部接続用入力端子手段を介し前記外部接続用出力端子手段からのデジタルオーディオ信号を入力する工程を有し、任意個数の信号処理系統設定装置のデジタルオーディオ信号をカスケード接続するという構成を有している。この構成により、信号切換手段からのデジタルオーディオ信号を遅延せず外部接続用出力端子手段を通して直接外部に出力し、そのデジタルオーディオ信号を他の信号処理系統設定装置の外部接続用入力端子手段に入力するよう接続してカスケード接続としたことにより、各信号処理系統設定装置を通して設定された信号処理系統のデジタルオーディオ信号を各信号処理系統設定装置間で共有化することができ、かつ、出力端子側において各信号処理系統ごとに遅延時間を設定するようにしたことにより、出力端子手段からは同位相のデジタルオーディオ信号が出力されることとなる。
【００３１】
本発明における信号処理系統設定方法は、外部接続用入力端子手段を介し他の信号処理系統設定装置の出力端子手段からのデジタルオーディオ信号を入力する工程を有し、任意個数の信号処理系統設定装置のデジタルオーディオ信号をカスケード接続するという構成を有している。この構成により、信号切換手段を用いてデジタル信号処理手段の分割された任意の信号処理部の入出力接続を任意に設定することにより、複雑なデジタル信号処理手段の内部メモリの書き変えを行うことなく、信号処理能力の異なる分割されたデジタル信号処理手段の信号処理系統を設定することができ、かつ、他の信号処理系統設定装置の出力端子手段から外部接続用入力端子手段に対しデジタルオーディオ信号を入力するよう接続してカスケード接続としたことにより、各信号処理系統設定装置を通して設定された信号処理系統のデジタルオーディオ信号を各信号処理系統設定装置間で共有化できることとなる。
【００３２】
本発明における信号処理系統設定方法は、出力信号を外部接続用出力端子手段から遅延せず直接出力し、他の信号処理系統設定装置の外部接続用入力端子手段を介し前記外部接続用出力端子手段からのデジタルオーディオ信号を入力する工程を有し、任意個数の信号処理系統設定装置のデジタルオーディオ信号をカスケード接続し、前記カスケード接続した任意の信号処理系統設定装置の出力端子から出力するデジタルオーディオ信号を遅延して同位相で出力するという構成を有している。この構成により、信号切換手段を用いてデジタル信号処理手段の分割された任意の信号処理部の入出力接続を任意に設定することにより、複雑なデジタル信号処理手段の内部メモリの書き変えを行うことなく、信号処理能力の異なる分割されたデジタル信号処理手段の信号処理系統を設定することができ、かつ、信号切換手段からのデジタルオーディオ信号を遅延せず外部接続用出力端子手段を通して直接外部に出力し、そのデジタルオーディオ信号を他の信号処理系統設定装置の外部接続用入力端子手段に入力するよう接続してカスケード接続としたことにより、各信号処理系統設定装置を通して設定された信号処理系統のデジタルオーディオ信号を各信号処理系統設定装置間で共有化できるとともに、カスケード接続した任意の信号処理系統設定装置の出力端子から出力するデジタルオーディオ信号を遅延して同位相で出力することができることとなる。
【００３３】
本発明における信号処理系統設定方法は、外部接続用入力端子手段を介し他の信号処理系統設定装置の出力端子手段からのデジタルオーディオ信号を入力する工程を有し、任意個数の信号処理系統設定装置のデジタルオーディオ信号をカスケード接続するという構成を有している。この構成により、他の信号処理系統設定装置の出力端子手段から外部接続用入力端子手段に対しデジタルオーディオ信号を入力するよう接続してカスケード接続としたことにより、各信号処理系統設定装置を通して設定された信号処理系統のデジタルオーディオ信号を各信号処理系統設定装置間で共有化することができ、かつ、信号切換手段を用いて複数の信号処理系統の任意位置のデジタルオーディオ信号をミキシングできることとなる。
【００３４】
本発明における信号処理系統設定方法は、出力信号を外部接続用出力端子手段から遅延せず直接出力し、他の信号処理系統設定装置の外部接続用入力端子手段を介し前記外部接続用出力端子手段からのデジタルオーディオ信号を入力する工程を有し、任意個数の信号処理系統設定装置のデジタルオーディオ信号をカスケード接続し、前記ミキシング手段に入力する各デジタルオーディオ信号に対し信号処理系統ごとに遅延時間を付加し同位相に調整してミキシングし、前記カスケード接続した任意の信号処理系統設定装置の出力端子から出力するデジタルオーディオ信号を遅延して同位相で出力するという構成を有している。この構成により、信号切換手段からのデジタルオーディオ信号を遅延せず外部接続用出力端子手段を通して直接外部に出力し、そのデジタルオーディオ信号を他の信号処理系統設定装置の外部接続用入力端子手段に入力するよう接続してカスケード接続としたことにより、各信号処理系統設定装置を通して設定された信号処理系統のデジタルオーディオ信号を各信号処理系統設定装置間で共有化することができ、かつ、各信号処理系統ごとに遅延時間を設定してデジタルオーディオ信号をミキシングするようにしたことにより、同位相のデジタルオーディオ信号をミキシングすることができ、また出力端子側において各信号処理系統ごとに遅延時間を設定するようにしたことにより、出力端子手段からは同位相のデジタルオーディオ信号が出力されることとなる。
【００３５】
本発明における信号処理系統設定方法は、外部接続用入力端子手段を介し他の信号処理系統設定装置の出力端子手段からのデジタルオーディオ信号を入力する工程を有し、任意個数の信号処理系統設定装置のデジタルオーディオ信号をカスケード接続するという構成を有している。この構成により、他の信号処理系統設定装置の出力端子手段から外部接続用入力端子手段に対しデジタルオーディオ信号を入力するよう接続してカスケード接続としたことにより、各信号処理系統設定装置を通して設定された信号処理系統のデジタルオーディオ信号を各信号処理系統設定装置間で共有化することができ、かつ、信号切換手段を用いて分割された各信号処理系統の任意位置のデジタルオーディオ信号を集束してミキシングできることとなる。
【００３６】
本発明における信号処理系統設定方法は、出力信号を外部接続用出力端子手段から遅延せず直接出力し、他の信号処理系統設定装置の外部接続用入力端子手段を介し前記外部接続用出力端子手段からのデジタルオーディオ信号を入力する工程を有し、任意個数の信号処理系統設定装置のデジタルオーディオ信号をカスケード接続、前記ミキシング手段に入力する各デジタルオーディオ信号に対し信号処理系統ごとに遅延時間を付加し同位相に調整してミキシングし、前記カスケード接続した任意の信号処理系統設定装置の出力端子から出力するデジタルオーディオ信号を遅延して同位相で出力するという構成を有している。この構成により、信号切換手段からのデジタルオーディオ信号を遅延せず外部接続用出力端子手段を通して直接外部に出力し、そのデジタルオーディオ信号を他の信号処理系統設定装置の外部接続用入力端子手段に入力するよう接続してカスケード接続としたことにより、各信号処理系統設定装置を通して設定された信号処理系統のデジタルオーディオ信号を各信号処理系統設定装置間で共有化することができ、かつ、各分割された信号処理系統ごとに遅延時間を設定してデジタルオーディオ信号をミキシングするようにしたことにより、同位相のデジタルオーディオ信号をミキシングすることができ、また出力端子側において信号処理系統ごとに遅延時間を設定するようにしたことにより、出力端子手段からは同位相のデジタルオーディオ信号が出力されることとなる。
【００３７】
【発明の実施の形態】
以下、図１乃至図２４に基づき、本発明の第１乃至第１６の実施の形態を詳細に説明する。
（第１の実施の形態）
まず、図１を参照して、本発明の第１の実施の形態における信号処理系統設定装置の構成を説明する。図１は第１の実施の形態における信号処理系統設定装置を示す図であり、請求項１及び請求項２に対応する。図１において、入力端子手段としての入力端子１、信号切換手段としての入出力信号切換器２、複数のＤＳＰから構成されるＤＳＰ手段としてのデジタル信号処理装置（以下、ＤＳＰという）３、ＤＳＰ３の出力端子から入出力信号切換器２に対するフィードバック手段としてのフィードバック結線４、出力端子手段としての出力端子５とから構成される。
【００３８】
次に、図１、図１７及び図１８を参照して、上記のように構成された本発明の第１の実施の形態における信号処理系統設定装置の動作を説明する。まず、任意のｎ個のＤＳＰ３のメモリには、それぞれフィルタ、コンプレッサ、レベル制御などの信号処理部のインストラクションがあらかじめブートまたは記憶されているものとする。入力端子１から入力されたデジタルオーディオ信号は、入出力信号切換器２により、ＤＳＰ３内に必要な信号処理部を持つＤＳＰ３の入力へパッチまたは接続される。パッチ処理されたＤＳＰ３の出力信号はフィードバック結線４により、入出力信号切換器２の入力端子に入力され、入力端子においてその信号をＤＳＰ３のいずれかに対する入力として選択することができる。また、入出力信号切換器２は入力信号用の入力端子１を持ち、出力信号用の出力端子５を持っており、入出力信号切換器２の入力端子から出力端子に対する経路を任意に切替え設定することにより、入力端子１からの入力信号を任意に選択された希望するＤＳＰ３を通して処理し、出力端子５から出力信号として出力することができる。
【００３９】
なお、入出力信号切換器２の入力端子から出力端子に対する経路の切替えは、図示しない制御手段（入出力信号切換器２の内外のどこにあってもよい）や操作手段により行うことができる。
【００４０】
次に、図１７を参照して、本発明の第１の実施の形態における実際の入出力信号切換器２の設定方法を説明する。説明を簡略化するために、入力端子１を２チャンネル、出力端子５を２チャンネル、ＤＳＰ３を４個に限定し、ＤＳＰ３のそれぞれの信号処理部を信号処理部Ａ、信号処理部Ｂ、信号処理部Ｃ、信号処理部Ｄとする。入出力信号切換器２のＤＳＰ３それぞれに対する出力端子名を順にＯ３、Ｏ４、Ｏ５、Ｏ６とし、ＤＳＰ３の出力信号が入力される入出力切換器２の入力端子名をそれぞれ、Ｉ３、Ｉ４、Ｉ５、Ｉ６とする。また、入力端子１の２チャンネルの入出力切換器２への入力端子をＩ１、Ｉ２とし、出力端子５への２チャンネルの出力端子をそれぞれＯ１、Ｏ２とする。
【００４１】
この場合、入出力切換器２の設定をするためには、それぞれの出力端子Ｏ１〜Ｏ６に対して接続する入力端子Ｉ１〜Ｉ６を割り付ければよい。例えば、以下の２チャンネルの信号処理系統として設定したい場合は、図１８の設定データ列のイメージ例にあるように設定すれば良い。例えば、
（信号処理系統１チャンネル目：入力１→信号処理部Ｂ→信号処理部Ｄ→出力２）
（信号処理系統２チャンネル目：入力２→信号処理部Ａ→信号処理部Ｃ→出力１）
【００４２】
例えば、信号処理系統１チャンネル目において、入力信号１が入力端子Ｉ１から出力端子Ｏ４に接続され、信号処理部Ｂを介して入力端子Ｉ４から出力端子Ｏ６に接続され、信号処理部Ｄを介して入力端子Ｉ６から出力端子Ｏ２に接続されて、出力端子Ｏ２から出力信号２として出力される。また、信号処理系統２チャンネル目も同様である。
【００４３】
各信号処理部Ａ〜Ｄは、実際には、フィルタ、コンプレッサなどの信号処理部が入る。この信号処理部は必ずしも単一の信号処理部である必要はなく、単一の信号処理部に従属する信号処理部を含むものを１つの信号処理部とみなしても変わりはない。なお、この例では、入出力切換器２の出力側の設定データはそれぞれ異なる入力箇所（入力側データ）を選択しているが、重複した入力箇所を選択するようにしても問題はない。例えば、入力１の信号を信号処理部Ａと信号処理部Ｂに入力させたい場合は、Ｏ３とＯ４ともにＩ１のデータ設定を行えば良い。なお、この例では、全系統及び全端子を使用しているが、設定する信号処理系統によっては使用しない系統があっても問題はない。
【００４４】
上記のように、本発明の第１の実施の形態によれば、入出力切換器２と各ＤＳＰ３の出力から入出力信号切換器２へのフィードバック結線４とを設けることにより、各ＤＳＰ３のメモリのダウンロードやアップデータをすること無しに、任意の信号処理内容の信号処理系統を作り込むことができるので、ＤＳＰ３を効率的に使用することができ、かつ、任意の信号処理系統の信号処理位置（ＤＳＰ位置）からの出力信号を出力端子５から出力することができる。
【００４５】
（第２の実施の形態）
次に、図２を参照して、本発明の第２の実施の形態における信号処理系統設定装置の構成を説明する。図２は第２の実施の形態の信号処理系統設定装置を示す図であり、請求項３及び請求項４に対応する。図２に示す第２の実施の形態は、第１の実施の形態の構成に加え、遅延時間算出手段６により得た遅延データを設定して、任意位置のＤＳＰ３の出力信号を遅延するようにした遅延処理手段としての遅延素子７を出力端子５側に挿入するよう構成した。
【００４６】
次に、図２を参照して、上記のように構成された本発明の第２の実施の形態における信号処理系統設定装置の動作を説明する。図１に示す第１の実施の形態では、出力端子５から出力される出力信号は、信号処理経路が任意であるため、信号処理経路によりデジタルオーディオ信号の位相が異なって出力される。しかし、第２の実施の形態では出力信号を遅延素子７を通すことにより、信号処理経路に依存して異なる遅延時間を遅延素子７に設定して、位相を合わせるようにする。遅延時間は以下の方法により設定される。最大経路処理時間をＴmax とし、各ＤＳＰ３にかかる処理時間をＴdsp １、Ｔdsp ２、．．．．、Ｔdsp ｎとし、各フィードバック結線４にかかる時間をＴf １、Ｔf ２、．．．．、Ｔf ｎとすれば、最大経路処理時間Ｔmax は、
Ｔmax ＝（Ｔdsp １＋Ｔdsp ２＋・・・＋Ｔdsp ｎ）
＋（Ｔf １＋Ｔf ２＋・・・＋Ｔf ｎ）
となる。これが初期値となる。つまり、信号処理系統を全部通った場合の遅延時間となる。
【００４７】
ここで、入出力信号切換器２により信号処理部が選択され場合は、選択されたＤＳＰ３の処理時間Ｔdsp ｎとフィードバック処理時間Ｔf ｎを最大経路処理時間Ｔmax から引いた時間が遅延素子７に設定される遅延時間データとなる。すなわち、ＤＳＰ３の処理時間を最大経路処理時間Ｔmax から引いた残りの時間を遅延素子７により遅延すれば、全ての出力信号の出力時間が揃うことになる。また、出力端子５から出力される信号処理位置（ＤＳＰ位置）が変更されるごとに、上記の遅延時間算出方法に基づき、遅延時間算出手段６により遅延データが計算される。
【００４８】
例えば、ＤＳＰ３、ＤＳＰ4 の信号処理系統が設定された系統の遅延素子７に設定される遅延時間データは、
Ｔdelay ＝Ｔmax −（Ｔdsp ３＋Ｔf ３）−（Ｔdsp ４＋Ｔf ４）
となり、遅延時間算出手段６により計算され、遅延素子７にＴdelay の時間が設定される。
【００４９】
上記のように、本発明の第２の実施の形態によれば、入出力切換器２と各ＤＳＰ３の出力の入出力切換器２へのフィードバック結線４とを設けることにより、各ＤＳＰ３のメモリのダウンロードやアップデータをすること無しに、任意の信号処理系統を作り込むことができ、かつ、任意の信号処理系統の信号処理位置（ＤＳＰ位置）からの出力信号を出力端子５から出力することができ、かつ、任意の信号処理位置（ＤＳＰ位置）から出力させても、すべて同位相で出力させることができる。
【００５０】
（第３の実施の形態）
次に、図３及び図１９を参照して、本発明の第３の実施の形態における信号処理系統設定装置の構成を説明する。図３は第３の実施の形態の信号処理系統設定装置を示す図であり、請求項５及び請求項６に対応する。図３において、本発明の第３の実施の形態における信号処理系統設定装置は、入力端子手段としての入力端子１と、信号切換手段としての入出力信号切換器２と、ＤＳＰ単体において、信号処理系統が細分化され、細分化または分割された数だけ入出力チャンネルを持つＤＳＰ手段としてのＤＳＰ８と、細分化された信号処理部の数だけ入出力信号切換器２にフィードバックされるフィードバック手段としての細分化されたフィードバック結線９と、出力端子手段としての出力端子５とから構成される。また、図１９において、細分化されたＤＳＰ８の例を示す。細分化されたＤＳＰ８の入出力チャンネルはｋチャンネル持ち、信号処理部はそれぞれ細分化されたｋ個のチャンネルを通して行われる。
【００５１】
次に、図３及び図１９を参照して、上記のように構成された本発明の第３の実施の形態における信号処理系統設定装置の動作を説明する。まず、図１９に見られるように、ｎ個（複数個）のＤＳＰ８のメモリには、それぞれフィルタ、コンプレッサ、レベル制御などの信号処理部のインストラクションがあらかじめブートされており、信号処理部は入出力チャンネルの個数だけ細分化されている。入力端子１から入力されたデジタルオーディオ信号は、入出力信号切換器２により、ＤＳＰ８内に必要な細分化された信号処理部を持つＤＳＰ８の入力へパッチされる。パッチされたＤＳＰの出力信号はフィードバック結線４により、入出力信号切換器２に入力されているため、その信号を別なＤＳＰ８の入力あるいは、細分化された別の信号処理部の入力として選択することができる。また、入出力信号切換器２は入力信号のための入力端子１を持ち、出力信号のための出力端子５を持っているため、入力信号は任意の信号処理部を選択し、処理した信号は出力信号として出力端子５から出力することができる。
【００５２】
次に、図２０を参照して、本発明の第３の実施の形態における実際の入出力信号切換器２の設定方法を説明する。説明を簡略化するために、入力端子１を２チャンネル、出力端子５を２チャンネル、ＤＳＰ８を４個に限定し、ＤＳＰ８の細分化の数を２個とし、ＤＳＰ８のそれぞれの信号処理部を信号処理部Ａ１、Ａ２、信号処理部Ｂ１、Ｂ２、信号処理部Ｃ１、Ｃ２、信号処理部Ｄ１、Ｄ２とする。入出力信号切換器２のＤＳＰ８それぞれに対する出力端子名を順にＯ３＿１、Ｏ３＿２、Ｏ４＿１、Ｏ４＿２、Ｏ５＿１、Ｏ５＿２、Ｏ６＿１、Ｏ６＿２とし、ＤＳＰ８の出力信号が入力される入出力切換器２の入力端子名をそれぞれ、Ｉ３＿１、Ｉ３＿２、Ｉ４＿１、Ｉ４＿２、Ｉ５＿１、Ｉ５＿２、Ｉ６＿１、Ｉ６＿２とする。また、入力端子１の２チャンネルの入出力切換器２への入力端子をＩ１、Ｉ２とし、出力端子５の２チャンネルの出力端子をそれぞれＯ１、Ｏ２とする。
【００５３】
この場合、入出力切換器２を設定するためには、出力端子Ｏ１〜Ｏ６＿２に対して、選択する入力端子Ｉ１〜Ｉ６＿２を割り付ければよい。例えば、以下の２チャンネルの信号処理系統として設定したい場合は、図２１の設定データ列のイメージ例にあるように設定すれば良い。
（信号処理系統１チャンネル目：入力１→信号処理部Ｂ２→信号処理部Ｄ１→出力２）
（信号処理系統２チャンネル目：入力２→信号処理部Ａ１→信号処理部Ｃ２→出力１）
【００５４】
例えば、信号処理系統１チャンネル目において、入力信号１が入力端子Ｉ１から出力端子Ｏ４ ２に接続され、信号処理部Ｂ２を介して入力端子Ｉ４ ２から出力端子Ｏ６ １に接続され、信号処理部Ｄ１を介して入力端子Ｉ６ １から出力端子Ｏ２に接続されて、出力端子Ｏ２から出力信号２として出力される。また、信号処理系統２チャンネル目も同様である。
【００５５】
実際は、信号処理部Ａ１〜Ｄ２にはフィルタ、コンプレッサなどの信号処理部が入る。この信号処理部は必ずしも単一の信号処理部である必要はなく、単一の信号処理部に従属する信号処理部を含むものを１つの信号処理部とみなしても変わりはない。
なお、この例では、入出力切換器２の出力側の設定データはそれぞれ異なる入力箇所（入力側データ）を選択しているが、重複した入力箇所を選択しても問題はない。例えば、入力１の信号を信号処理部Ａ１と信号処理部Ｂ１に入力させたい場合は、出力端子Ｏ３＿１とＯ４＿１ともにＩ１のデータ設定を行えば良い。なお、この例では、全系統・全端子を使用しているが、設定する信号処理系統によっては使用しない系統があっても問題はない。
【００５６】
上記のように、本発明の第３の実施の形態によれば、入出力切換器２と信号処理部が細分化された各ＤＳＰ８の出力の入出力切換器２に対する細分化されたフィードバック結線９とを設けたことにより、各ＤＳＰのメモリのダウンロードやアップデータをすること無しに、任意の信号処理系統を作り込むことができ、かつ、任意の信号処理系統の信号処理位置（ＤＳＰ位置）からの出力信号を出力端子５から出力することができる。また、ＤＳＰ８の１個を信号処理部ごとに細分化し、必要な信号処理部を選択して処理系統を構成したため、信号処理系統が必要なチャンネルと必要でないチャンネルの区分けをＤＳＰ８内の信号処理レベルで行うことができ、ＤＳＰの信号処理資源を有効に使用することができる。
【００５７】
（第４の実施の形態）
次に、図４を参照して、本発明の第４の実施の形態における信号処理系統設定装置の構成を説明する。図４は第４の実施の形態の信号処理系統設定装置を示す図であり、請求項５及び請求項６に対応する。図４に示す第４の実施の形態は、第３の実施の形態の構成に加え、遅延時間算出手段６により得た遅延データを設定して、信号処理部の任意位置の出力信号を遅延するようにした遅延処理手段としての遅延素子７を出力端子５側に挿入するよう構成した。
【００５８】
次に、図３及び図１９を参照して、上記のように構成された本発明の第４の実施の形態における信号処理系統設定装置の動作を説明する。上記の第３の実施の形態では、出力端子５から出力する信号は、信号処理経路が任意であるため、異なる信号処理経路によりデジタルオーディオ信号の位相が異なるが、第４の実施の形態では出力信号を遅延素子７を通すことにより、信号処理経路に依存して異なる遅延時間を遅延素子７に設定して、位相を合わせるようにする。遅延時間の設定方法は以下の方法により設定される。
【００５９】
第４の実施の形態のＤＳＰにおける信号処理部の数は、信号処理部ごとに細分化されているため、（ＤＳＰの数ｎ個）×（細分化数ｋ）となる。最大経路処理時間をＴmax とし、各ＤＳＰにかかる処理時間をＴdsp （１，１）、Ｔdsp （１，２）、．．．．．Ｔdsp （ｎ，ｋ）とし、各フィードバック結線にかかる時間をＴf （１，１）、Ｔf （１，２）、．．．．、Ｔf （ｎ，ｋ）とすれば、最大経路処理時間Ｔmax は、
Ｔmax ＝〔Ｔdsp （１，１）＋Ｔdsp （１，２）＋・・・＋Ｔdsp （ｎ，ｋ）〕＋〔Ｔf （１，１）＋Ｔf （１，２）＋・・・＋Ｔf （ｎ，ｋ）〕
となる。これが初期値となる。つまり、処理系統を全部通った場合の遅延時間となる。入出力信号切換器２により信号処理部が選択され場合は、選択されたＤＳＰの処理時間Ｔdsp （ｎ，ｋ）とフィードバック処理時間Ｔf （ｎ，ｋ）を最大経路処理時間Ｔmax から引いた時間が遅延素子７に設定される遅延時間データとなる。
【００６０】
また、出力端子５から出力される信号処理位置が変更されるごとに、上記の遅延時間算出方法に基づいて、遅延時間算出手段６により計算される。例えば、ＤＳＰ３の２番目の信号処理部とＤＳＰ4 の３番目の信号処理部の処理系統が設定されるとした場合、遅延素子７に設定される遅延時間Ｔdelay は、
Ｔdelay ＝Ｔmax −〔Ｔdsp （３，２）＋Ｔf （３，２）〕
−〔Ｔdsp （４，３）＋Ｔf （４，３）〕
により遅延時間算出手段６において計算され、遅延素子７にＴdelay の時間が設定される。
【００６１】
以上のように本発明の第４の実施の形態によれば、第３の実施の形態の作用に加え、任意の信号処理系統の信号処理位置で出力させても、すべて同位相で出力させることができる。
【００６２】
（第５の実施の形態）
次に、図５を参照して、本発明の第５の実施の形態における信号処理系統設定装置の構成を説明する。図５は第５の実施の形態の信号処理系統設定装置を示す図であり、請求項９及び請求項１０に対応する。第５の実施の形態では、第１の実施の形態の構成に対し、ミキシング手段であるミキシング回路１０を加えて構成される。
【００６３】
次に、図５を参照して、上記のように構成された本発明の第５の実施の形態における信号処理系統設定装置の動作を説明する。ミキシング回路１０の入力信号は入力信号切換器２の出力から与えられる。したがって、ミキシング回路１０でミキシングを行う信号は、入力信号切換器２で選択され、信号処理系統上の任意の信号処理位置の信号をミキシングすることができる。
【００６４】
上記のように、第５の実施の形態によれば、第１の実施の形態の作用に加え、信号処理系統の任意の信号処理位置の信号をミキシングすることができる。また、そのミキシング信号をＤＳＰの入力へ設定することができ、ミキシング後の信号も一つの信号として信号処理系統に加え、または出力することができる。
【００６５】
（第６の実施の形態）
次に、図６を参照して、本発明の第６の実施の形態における信号処理系統設定装置の構成を説明する。図６は第６の実施の形態の信号処理系統設定装置を示す図であり、請求項１１及び請求項１２に対応する。第６の実施の形態では、第５の実施の形態の構成に加え、遅延時間算出手段６により得た遅延データを設定して、第２の実施の形態におけるように、信号処理部の任意位置の出力信号を遅延する遅延処理手段としての遅延素子７を出力端子５側に挿入し、同様に、ミキシング回路１０の入力信号を遅延する遅延処理手段としての遅延素子１１をミキシング回路１０の入力側に挿入するよう構成した。
【００６６】
次に、図６を参照して、上記のように構成された本発明の第６の実施の形態における信号処理系統設定装置の動作を説明する。第６の実施の形態においても、第２の実施の形態で説明した遅延素子の設定データ算出方法に基づき、遅延時間算出手段６により計算された遅延データを遅延素子７とミキシング用遅延素子１１とに信号処理系列別に設定する。
【００６７】
上記のように、第６の実施の形態によれば、第２及び第５の実施の形態の作用に加え、各ミキシング回路１０に入力されるデジタルオーディオ信号を遅延素子１１を通して同位相に揃えるようにしたことにより、ミキシング回路１０では、デジタルオーディオ信号を同位相でミキシングすることができ、出力端子５から同位相のデジタルオーディオ信号を出力することができる。
【００６８】
（第７の実施の形態）
次に、図７を参照して、本発明の第７の実施の形態における信号処理系統設定装置の構成を説明する。図７は第７の実施の形態の信号処理系統設定装置を示す図であり、請求項１３及び請求項１４に対応する。第７の実施の形態では、第５の実施の形態の構成に加え、第３の実施の形態のように各ＤＳＰが細分化された構成をとる。すなわち、本発明の第７の実施の形態における信号処理系統設定装置は、信号処理系統が細分化され、細分化または分割された数だけ入出力チャンネルを持つＤＳＰ手段としてのＤＳＰ８と、細分化された信号処理部の数だけミキシングするミキシング手段としてのミキシング回路１０と、ＤＳＰ８及びミキシング回路１０の出力を入出力切換器２にフィードバックするフィードバック手段としての細分化されたフィードバック結線９と、出力端子手段としての出力端子５とから構成される。細分化されたＤＳＰ８の例を図２０に示す。図２０において、細分化されたＤＳＰ８の入出力チャンネルはｋチャンネル持ち、信号処理部はそれぞれ細分化されたｋ個のチャンネルを通して行われる。
【００６９】
次に、図７を参照して、上記のように構成された本発明の第７の実施の形態における信号処理系統設定装置の動作を説明する。第７の実施の形態においても、第３の実施の形態と同じ方法により、細分化されたＤＳＰ８の信号処理系統ごとに出力信号切換器２を用いて信号処理系統を設定することができるとともに、細分化されたＤＳＰ８の任意の信号処理系統の信号処理位置の信号をミキシング回路１０でミキシングして出力することができる。
【００７０】
上記のように、第７の実施の形態によれば、第３の実施の形態の作用に加え、各ミキシング回路１０に入力されるデジタルオーディオ信号を遅延素子１１を通して同位相に揃えるようにしたことにより、ミキシング回路１０ではデジタルオーディオ信号を同位相でミキシングすることができ、出力端子５から同位相のデジタルオーディオ信号を出力することができる。
【００７１】
（第８の実施の形態）
次に、図８を参照して、本発明の第８の実施の形態における信号処理系統設定装置の構成を説明する。図８は第８の実施の形態の信号処理系統設定装置を示す図であり、請求項１５及び請求項１６に対応する。第８の実施の形態では、第７の実施の形態に加え、第６の実施の形態で説明したように、遅延時間算出手段６により得た遅延データを設定して、信号処理部の任意位置の出力信号を遅延する遅延処理手段としての遅延素子７を出力端子５側に挿入し、同様に、ミキシング回路１０の入力信号を遅延する遅延処理手段としての遅延素子１１をミキシング回路１０の入力側に挿入するよう構成した。
【００７２】
次に、図８を参照して、上記のように構成された本発明の第８の実施の形態における信号処理系統設定装置の動作を説明する。第８の実施の形態においては、第７の実施の形態における動作に加え、第６の実施の形態で説明したように、第２の実施の形態で説明した遅延素子の設定データ算出方法に基づき、遅延時間算出手段６により計算された遅延データを出力端子５側の遅延素子７とミキシング回路１０側の遅延素子１１とに信号処理系列別に設定する。
【００７３】
上記のように、第８の実施の形態によれば、第７の実施の形態の作用に加え、各ミキシング回路１０に入力されるデジタルオーディオ信号を遅延素子１１を通して同位相に揃えるようにしたことにより、ミキシング回路１０ではデジタルオーディオ信号を同位相でミキシングすることができ、出力端子５から同位相のデジタルオーディオ信号を出力することができる。
【００７４】
（第９の実施の形態）
次に、図９及び図２２を参照して、本発明の第９の実施の形態における信号処理系統設定装置の構成を説明する。図９は第９の実施の形態の信号処理系統設定装置を示す図であり、請求項１７及び請求項１８に対応する。第９の実施の形態では、第１の実施の形態の構成に対し、外部接続用入力端子手段としての外部接続用入力端子１２を加えて構成される。また、図２２は、本発明の第９の実施の形態における外部接続用入力端子１２の接続例とそれをカスケード接続した場合の構成例を示すものである。
【００７５】
次に、図９及び図２２を参照して、上記のように構成された本発明の第９の実施の形態における信号処理系統設定装置の動作を説明する。第９の実施の形態においては、第１の実施の形態の動作に加え、図９に示す出力端子５からの出力信号を外部にある他の信号処理系統設定装置に対する入力信号としても使用することができるように構成したものである。以下、図２２を参照して、その構成例を説明する。
【００７６】
図２２において、ｎ個の信号処理系統設定装置＃１〜ｎをカスケード接続する場合を考える。信号処理系統設定装置＃１からの出力信号１は、信号処理系統設定装置＃１の出力信号として出力されるほか、信号処理系統設定装置＃２の外部接続用入力端子２の入力信号として使用される。また、信号処理系統設定装置＃２からの出力信号２は、信号処理系統設定装置＃２の出力信号として出力されるほか、信号処理系統設定装置＃３の外部接続用入力端子３の入力信号として使用される。このようにして、出力端子５、外部接続用入力端子１２を用いて、任意の数の信号処理系統設定装置をカスケード接続することができる。
【００７７】
上記のように、第９の実施の形態によれば、第１の実施の形態の作用に加え、出力端子５及び外部接続用入力端子１２を用いることにより、信号処理系統設定装置＃１〜ｎをカスケード接続することができ、カスケード接続した信号処理系統設定装置＃１〜ｎ間において、信号処理系統の任意の信号処理位置のデジタルオーディオ信号を共有して使用することができる。かつ、カスケード接続することにより、異なる信号処理系統設定装置間において、他の装置のＤＳＰに割り当てられている信号処理部を選択することができ、ＤＳＰの信号処理部の資源を有効に使用することができる。
【００７８】
（第１０の実施の形態）
次に、図１０及び図２３を参照して、本発明の第１０の実施の形態における信号処理系統設定装置の構成を説明する。図１０は第１０の実施の形態の信号処理系統設定装置を示す図であり、請求項１９及び請求項２０に対応する。第１０の実施の形態では、第２の実施の形態の構成に対し、外部接続用入力端子手段としての外部接続用入力端子１２と、出力信号を遅延しない外部接続用出力端子手段としての外部接続用出力端子１３とを加えて構成される。また、図２３は、本発明の第１０の実施の形態における外部接続用入力端子１２の接続例とそれをカスケード接続した場合の構成例を示すものである。
【００７９】
次に、図１０及び図２３を参照して、上記のように構成された本発明の第１０の実施の形態における信号処理系統設定装置の動作を説明する。第１０の実施の形態においては、第２の実施の形態の動作に加え、図１０に示す外部接続用出力端子１３からの出力信号を外部に対する出力信号にするとともに、外部にある他の信号処理系統設定装置に対する入力信号としても使用することができるように構成したものである。以下、図２４を参照して、その構成例を説明する。
【００８０】
図２３において、ｎ個の信号処理系統設定装置＃１〜ｎをカスケード接続する場合を考える。信号処理系統設定装置＃１からの出力は、信号処理系統設定装置＃１の出力信号としての出力信号１と、信号処理系統設定装置＃２に対する外部接続用出力端子１からの出力信号として出力される。外部接続用出力端子１からの出力信号は、信号処理系統設定装置＃２の外部接続用入力端子２から入力される。このようにして、外部接続用出力端子１３、外部接続用入力端子１２用いて、任意の数の信号処理系統設定装置＃１〜ｎをカスケード接続することができる。
【００８１】
上記のように、第１０の実施の形態によれば、第２の実施の形態の作用に加え、外部接続用出力端子１３及び外部接続用入力端子１２を用いることにより、信号処理系統設定装置＃１〜ｎをカスケード接続することができ、カスケード接続した信号処理系統設定装置＃１〜ｎ間において、任意位置の信号処理系統のデジタルオーディオ信号を共有して使用することができる。かつ、信号処理系統設定装置＃１〜ｎをカスケード接続することにより、異なる信号処理系統設定装置間において、他の装置のＤＳＰに割り当てられている信号処理部を選択することができ、ＤＳＰの信号処理部の資源を有効に使用することができる。また、外部接続用出力端子１３を出力端子５とは別に設けて、各信号処理系統設定装置＃１〜ｎの出力信号を遅延素子７を通すことにより、各信号処理系統のデジタルオーディオ信号を同位相で出力することができる。
【００８２】
（第１１の実施の形態）
次に、図１１を参照して、本発明の第１１の実施の形態における信号処理系統設定装置の構成を説明する。図１１は第１１の実施の形態の信号処理系統設定装置を示す図であり、請求項２１及び請求項２２に対応する。第１１の実施の形態では、第３の実施の形態の構成に対し、外部接続用入力端子手段としての外部接続用入力端子１２を加えて構成される。
【００８３】
次に、図１１を参照して、上記のように構成された本発明の第１１の実施の形態における信号処理系統設定装置の動作を説明する。第１１の実施の形態においては、第３の実施の形態の動作に加え、図９に示す第９の実施の形態で説明したと同様に、出力端子５からの出力信号を外部にある他の信号処理系統設定装置の外部接続用入力端子１２に接続することにより、任意個数の信号処理系統設定装置間でカスケード接続するように構成することができる。
【００８４】
上記のように、第１１の実施の形態によれば、第３の実施の形態の作用に加え、出力端子５及び外部接続用入力端子１２を用いることにより、任意個数の信号処理系統設定装置をカスケード接続することができ、カスケード接続した信号処理系統設定装置間で任意位置の信号処理系統のデジタルオーディオ信号を共有して使用することができる。かつ、異なる信号処理系統設定装置間をカスケード接続することにより、他の信号処理系統設定装置の細分化されたＤＳＰ８に割り当てられている信号処理単位を選択することができ、ＤＳＰ８の信号処理部の資源を有効に使用することができる。
【００８５】
（第１２の実施の形態）
次に、図１２を参照して、本発明の第１２の実施の形態における信号処理系統設定装置の構成を説明する。図１２は第１２の実施の形態の信号処理系統設定装置を示す図であり、請求項２３及び請求項２４に対応する。第１２の実施の形態では、第４の実施の形態の構成に対し、図１０に示すように、出力信号を遅延しない外部接続用入力端子手段としての外部接続用入力端子１２と、外部接続用出力端子手段としての外部接続用出力端子１３とを加えて構成される。
【００８６】
次に、図１２を参照して、上記のように構成された本発明の第１２の実施の形態における信号処理系統設定装置の動作を説明する。第１２の実施の形態においては、第４の実施の形態の動作に加え、図１２に示す外部接続用出力端子１３からの遅延しない出力信号を外部に対する出力信号にするとともに、外部にある他の信号処理系統設定装置に対する入力信号としても使用することができるように構成したものである。また、第１０の実施の形態で説明したように、出力信号を外部接続用入力端子１２に接続することにより、任意個数の信号処理系統設定装置間でカスケード接続することができる。
【００８７】
上記のように、第１２の実施の形態によれば、第４の実施の形態の作用に加え、外部接続用出力端子１３及び外部接続用入力端子１２を用いることにより、信号処理系統設定装置をカスケード接続することができ、カスケード接続した信号処理系統設定装置間において、任意位置の信号処理系統のデジタルオーディオ信号を共有して使用することができる。かつ、信号処理系統設定装置をカスケード接続することにより、異なる信号処理系統設定装置間において、他の装置のＤＳＰに割り当てられている信号処理部を選択することができ、ＤＳＰの信号処理部の資源を有効に使用することができる。
【００８８】
また、出力信号を遅延しない外部接続用出力端子１３を出力端子５と別に設けて、各信号処理系統設定装置から外部に出力する出力信号に対してのみ遅延素子７を用いることにより、各信号処理系統のデジタルオーディオ信号を同位相で出力することができる。
【００８９】
（第１３の実施の形態）
次に、図１３を参照して、本発明の第１３の実施の形態における信号処理系統設定装置の構成を説明する。図１３は第１３の実施の形態の信号処理系統設定装置を示す図であり、請求項２５及び請求項２６に対応する。第１３の実施の形態では、第５の実施の形態の構成に対し、外部接続用入力端子手段としての外部接続用入力端子１２を加えて構成される。
【００９０】
次に、図１３を参照して、上記のように構成された本発明の第１３の実施の形態における信号処理系統設定装置の動作を説明する。第１３の実施の形態においては、第５の実施の形態で説明した動作に加え、図９に示す第９の実施の形態で説明したように、出力端子５からの出力信号を外部にある他の信号処理系統設定装置の外部接続用入力端子１２に入力するよう接続して、任意個数の信号処理系統設定装置間でカスケード接続するよう構成することができる。
【００９１】
上記のように、第１３の実施の形態によれば、第５の実施の形態の作用に加え、出力端子５及び外部接続用入力端子１２を用いることにより、任意個数の信号処理系統設定装置をカスケード接続することができ、カスケード接続した信号処理系統設定装置間で任意位置の信号処理系統のデジタルオーディオ信号を共有して使用することができる。かつ、異なる信号処理系統設定装置間をカスケード接続することにより、他の信号処理系統設定装置のＤＳＰに割り当てられている信号処理単位を選択することができ、ＤＳＰの信号処理部の資源を有効に使用することができる。また、異なる信号処理系統設定装置間において、他の信号処理系統設定装置の信号処理位置の信号をミキシング回路１０を通してミキシングすることができる。
【００９２】
（第１４の実施の形態）
次に、図１４を参照して、本発明の第１４の実施の形態における信号処理系統設定装置の構成を説明する。図１４は第１４の実施の形態の信号処理系統設定装置を示す図であり、請求項２７及び請求項２８に対応する。第１４の実施の形態では、図６に示す第６の実施の形態の構成に加え、外部接続用入力端子手段としての外部接続用入力端子１２と、出力信号を遅延しない外部接続用出力端手段としての外部接続用出力端子１３とを加えて構成される。
【００９３】
次に、図１４を参照して、上記のように構成された本発明の第１４の実施の形態における信号処理系統設定装置の動作を説明する。第１４の実施の形態においては、第６の実施の形態で説明した動作に加え、図１０に示す第１０の実施の形態で説明したように、外部接続用出力端子１３からの出力信号を外部に出力するとともに、外部の信号処理系統設定装置に対する出力信号としても使用することができる。また、第１０の実施の形態で説明したように、外部接続用出力端子１３からの出力信号を他の信号処理系統設定装置の外部接続用入力端子１２に接続することにより、任意個数の信号処理系統設定装置間をカスケード接続することができる。
【００９４】
上記のように、第１４の実施の形態によれば、第６の実施の形態の作用に加え、外部接続用出力端子１３及び外部接続用入力端子１２を用いることにより、任意個数の信号処理系統設定装置をカスケード接続することができ、カスケード接続した信号処理系統設定装置間で任意位置の信号処理系統のデジタルオーディオ信号を共有して使用することができる。かつ、異なる信号処理系統設定装置間において、他の信号処理系統設定装置のＤＳＰに割り当てられている信号処理単位を選択することができ、ＤＳＰの信号処理部の資源を有効に使用することができる。かつ、遅延素子７を用いた出力端子５を外部接続用出力端子１３とは別に設けているため、各信号処理系統設定装置の出力信号として、同位相のデジタルオーディオ信号を出力することができる。また、異なる信号処理系統設定装置間において、他の信号処理系統設定装置の信号処理位置の信号をミキシング回路１０を通してミキシングすることができる。
【００９５】
（第１５の実施の形態）
次に、図１５を参照して、本発明の第１５の実施の形態における信号処理系統設定装置の構成を説明する。図１５は第１５の実施の形態の信号処理系統設定装置を示す図であり、請求項２９及び請求項３０に対応する。第１５の実施の形態では、図７に示す第７の実施の形態の構成に対し、外部接続用入力端子手段としての外部接続用入力端子１２を加えて構成される。
【００９６】
次に、図１５を参照して、上記のように構成された本発明の第１５の実施の形態における信号処理系統設定装置の動作を説明する。第１５の実施の形態においては、第７の実施の形態で説明した動作に加え、図９に示す第９の実施の形態で説明したように、出力端子５からの出力信号を外部に出力するとともに、外部の信号処理系統設定装置に対する出力信号としても使用することができる。また、第９の実施の形態で説明したように、出力端子５からの出力信号を他の信号処理系統設定装置の外部接続用入力端子１２に接続することにより、任意個数の信号処理系統設定装置間をカスケード接続することができる。
【００９７】
上記のように、第１５の実施の形態によれば、第７の実施の形態の作用に加え、出力端子５及び外部接続用入力端子１２を用いることにより、任意個数の信号処理系統設定装置をカスケード接続することができ、カスケード接続した信号処理系統設定装置間で任意位置の信号処理系統のデジタルオーディオ信号を共有して使用することができる。かつ、異なる信号処理系統設定装置間において、他の信号処理系統設定装置のＤＳＰに割り当てられている信号処理単位を選択することができ、ＤＳＰの信号処理部の資源を有効に使用することができる。また、異なる信号処理系統設定装置間において、他の信号処理系統設定装置の信号処理位置の信号をミキシング回路１０を通してミキシングすることができる。
【００９８】
（第１６の実施の形態）
次に、図１６を参照して、本発明の第１６の実施の形態における信号処理系統設定装置の構成を説明する。図１６は第１６の実施の形態の信号処理系統設定装置を示す図であり、請求項３１及び請求項３２に対応する。第１６の実施の形態では、図８に示す第８の実施の形態の構成に対し、出力信号を遅延しない外部接続用入力端子手段としての外部接続用入力端子１２と、外部接続用出力端手段としての外部接続用出力端子１３とを加えて構成される。
【００９９】
次に、図１６を参照して、上記のように構成された本発明の第１６の実施の形態における信号処理系統設定装置の動作を説明する。第１６の実施の形態においては、第８の実施の形態で説明した動作に加え、図１０に示す第１０の実施の形態で説明したように、外部接続用出力端子１３からの出力信号を外部に出力するとともに、外部の信号処理系統設定装置に対する出力信号としても使用することができる。また、第１０の実施の形態で説明したように、外部接続用出力端子１３からの出力信号を他の信号処理系統設定装置の外部接続用入力端子１２に接続することにより、任意個数の信号処理系統設定装置間をカスケード接続することができる。
【０１００】
上記のように、第１６の実施の形態によれば、第８の実施の形態の作用に加え、外部接続用出力端子１３及び外部接続用入力端子１２を用いることにより、任意個数の信号処理系統設定装置をカスケード接続することができ、カスケード接続した信号処理系統設定装置間で任意位置の信号処理系統のデジタルオーディオ信号を共有して使用することができる。かつ、異なる信号処理系統設定装置間をカスケード接続することにより、他の信号処理系統設定装置のＤＳＰに割り当てられている信号処理単位を選択することができ、ＤＳＰの信号処理部の資源を有効に使用することができる。かつ、遅延素子７を用いた出力端子５を外部接続用出力端子１３とは別に設けているため、各信号処理系統設定装置の出力信号として、同位相のデジタルオーディオ信号を出力することができる。また、異なる信号処理系統設定装置間において、他の信号処理系統設定装置の信号処理位置の信号をミキシング回路１０を通してミキシングすることができる。
【０１０１】
【発明の効果】
本発明における信号処理系統設定装置及び方法は、上記のように構成され、特に、信号切換手段を用いてデジタル信号処理手段の入出力接続を任意に設定することにより、デジタル信号処理手段のメモリのダウンロードおよびアップデートの制御など、複雑なデジタル信号処理手段の内部メモリの書き変えを行うことなく、信号処理能力の異なる信号処理系統を任意に設定することができるとともに、信号処理系統の任意位置におけるデジタルオーディオ信号を出力端子から出力することができる。
【図面の簡単な説明】
【図１】本発明の第１の実施の形態における信号処理系統設定装置の構成を示すブロック図、
【図２】本発明の第２の実施の形態における信号処理系統設定装置の構成を示すブロック図、
【図３】本発明の第３の実施の形態における信号処理系統設定装置の構成を示すブロック図、
【図４】本発明の第４の実施の形態における信号処理系統設定装置の構成を示すブロック図、
【図５】本発明の第５の実施の形態における信号処理系統設定装置の構成を示すブロック図、
【図６】本発明の第６の実施の形態における信号処理系統設定装置の構成を示すブロック図、
【図７】本発明の第７の実施の形態における信号処理系統設定装置の構成を示すブロック図、
【図８】本発明の第８の実施の形態における信号処理系統設定装置の構成を示すブロック図、
【図９】本発明の第９の実施の形態における信号処理系統設定装置の構成を示すブロック図、
【図１０】本発明の第１０の実施の形態における信号処理系統設定装置の構成を示すブロック図、
【図１１】本発明の第１１の実施の形態における信号処理部系統設定装置の構成を示すブロック図、
【図１２】本発明の第１２の実施の形態における信号処理系統設定装置の構成を示すブロック図、
【図１３】本発明の第１３の実施の形態における信号処理系統設定装置の構成を示すブロック図、
【図１４】本発明の第１４の実施の形態における信号処理系統設定装置の構成を示すブロック図、
【図１５】本発明の第１５の実施の形態における信号処理系統設定装置の構成を示すブロック図、
【図１６】本発明の第１６の実施の形態における信号処理系統設定装置の構成を示すブロック図、
【図１７】本発明の第１の実施の形態における信号処理系統切換え手段の設定例を示す説明図、
【図１８】図１８に示す信号処理系統切換え手段に設定する設定データ列のイメージ例を示す図、
【図１９】本発明の第３の実施の形態におけるＤＳＰ単体の信号処理系統を分割した状態を示す図、
【図２０】本発明の第３の実施の形態における信号処理系統切換え手段の設定例を示す説明図（ＤＳＰ分割数ｋ＝２）、
【図２１】図２１に示す信号処理系統切換え手段に設定する設定データ列のイメージ例を示す図、
【図２２】本発明の第９の実施の形態における外部接続用入力端子の接続例とカスケード接続例を示す図、
【図２３】本発明の第１０の実施の形態における外部接続用入力端子の接続例とカスケード接続例を示す図、
【図２４】従来例による信号処理系統設定装置の構成を示すブロック図。
【符号の説明】
１  入力端子
２  入出力信号切換器
３  ｎ個から構成されるデジタル信号処理手段（ＤＳＰ）
４  フィードバック結線
５  出力端子
６  遅延時間算出手段
７  遅延素子
８  ｎ個から構成され各々がｋ分割されたデジタル信号処理手段（ＤＳＰ）
９  ｋ分割されたデジタル信号処理手段の出力のフィードバック結線
１０  ミキシング回路
１１  ミキシング回路用遅延素子
１２  外部接続用入力端子
１３  外部接続用出力端子
２１  入力端子
２２  デジタル信号処理手段（ＤＳＰ）
２３  出力端子
２４  メモリ
【図１】
0004436951.tif 000002
【図２】
0004436951.tif 000003
【図３】
0004436951.tif 000004
【図４】
0004436951.tif 000005
【図５】
0004436951.tif 000006
【図６】
0004436951.tif 000007
【図７】
0004436951.tif 000008
【図８】
0004436951.tif 000009
【図９】
0004436951.tif 000010
【図１０】
0004436951.tif 000011
【図１１】
0004436951.tif 000012
【図１２】
0004436951.tif 000013
【図１３】
0004436951.tif 000014
【図１４】
0004436951.tif 000015
【図１５】
0004436951.tif 000016
【図１６】
0004436951.tif 000017
【図１７】
0004436951.tif 000018
【図１８】
0004436951.tif 000019
【図１９】
0004436951.tif 000020
【図２０】
0004436951.tif 000021
【図２１】
0004436951.tif 000022
【図２２】
0004436951.tif 000023
【図２３】
0004436951.tif 000024
【図２４】
0004436951.tif 000025